(57)【要約】      （修正有）【課題】いずれのモードにおいてもそのモードで選択される頻度が高い項目を高い確率で最初に表示する処理装置を提供する。【解決手段】モード毎に異なる処理を実行する処理ユニットと、前記モードの選択を受け付けるモード選択ユニットと、前記処理ユニットの保守項目または前記処理の設定項目を１項目ずつ順に表示して前記項目の選択を受け付ける保守／設定メニューを呼び出す指示を受け付ける指示受付ユニットと、前記指示受付ユニットで選択された前記項目に応じた保守を実行するか又は選択された前記項目の設定を受け付ける保守／設定ユニットを備え、保守／設定ユニットは最後に選択された項目を選択されているモードと関連して記憶し、次回指示ユニットで指示を受け付けるとそのとき選択されている前記モードに関連付けられて記憶されている前記項目を前記保守／設定メニューで最初に表示する処理装置。【選択図】図１
2007058395.tif 000002
【特許請求の範囲】
【請求項１】
モード毎に異なる処理を実行する処理ユニットと、
前記モードの選択を受け付けるモード選択ユニットと、
前記処理ユニットの保守項目または前記処理の設定項目を１項目ずつ順に表示して前記項目の選択を受け付ける保守／設定メニューを呼び出す指示を受け付ける指示受付ユニットであって、前記モード選択ユニットでいずれかの前記モードが選択されている状態で前記指示を受け付ける指示受付ユニットと、
前記指示受付ユニットで前記指示を受け付けると、前記保守／設定メニューを表示して前記項目の選択を受け付け、選択された前記項目に応じた保守を実行するか又は選択された前記項目の設定を受け付ける保守／設定ユニットであって、最後に選択された前記項目をそのとき選択されている前記モードに関連付けて記憶し、次回前記指示受付ユニットで前記指示を受け付けるとそのとき選択されている前記モードに関連付けられて記憶されている前記項目を前記保守／設定メニューで最初に表示する保守／設定ユニットと、
を備える処理装置。
【請求項２】
前記処理ユニットは、ディジタル画像を印刷媒体に印刷する印刷ユニットと、原稿を読み取ってディジタル画像を生成するスキャンユニットとを有し、
前記モードは、前記印刷ユニットで印刷を行う印刷モード、前記スキャンユニットで原稿を読み取るスキャンモード、及び前記スキャンユニットで原稿を読み取ってディジタル画像を生成し、生成したディジタル画像を前記印刷ユニットで印刷するコピーモードである請求項１に記載の処理装置。
【請求項３】
前記保守項目のうち少なくとも１項目は前記印刷ユニットの色材の交換を行うための保守項目であり、
前記保守／設定ユニットは、前記色材の交換を行うための前記保守項目が選択されてもモードに関連付けて記憶しない請求項２に記載の処理装置。
【発明の詳細な説明】
【技術分野】
【０００１】
本発明は、処理装置に関する。
【背景技術】
【０００２】
複数の項目の中から１項目の選択を受け付ける場合のユーザインタフェースとして、ボタンが押下される毎に項目を１項目ずつ順に表示し、所定のボタンが押下されると表示中の項目を選択された項目として受け付けるユーザインタフェースが用いられる場合がある。このようなユーザインタフェースでは、項目の並びで後の方にある項目を表示させる場合ほどユーザは多くのボタン操作を要求される。
【０００３】
ところで、一般に各項目が選択される頻度にはばらつきがあり、必ずしも各項目が均等に選択されるわけではない。このため、前述したユーザインタフェースでは、選択される頻度が高い項目が項目の並びで後の方にあると、ユーザが多くのボタン操作を要求される頻度が高くなる。従って、選択される頻度が高い項目が最初に表示されるようにすることが望ましい。
【０００４】
しかしながら、モード毎に異なる処理を実行する処理装置では、保守を行うための保守項目や処理の設定をするための設定項目を選択する場合、選択される設定項目とモードとの間には相関があると想定される。すなわち、選択される頻度が高い項目がモードによって異なることが想定される。このような処理装置に前述したユーザインタフェースを用いた場合、単に選択される頻度が高い項目を最初に表示すると、あるモードではその項目が選択される頻度が高い項目であったとしても、別のあるモードではその項目が必ずしも選択される頻度が高い項目であるとは限らないという問題がある。
【発明の開示】
【発明が解決しようとする課題】
【０００５】
本発明は、上述の問題に鑑みて創作されたものであって、いずれのモードにおいてもそのモードで選択される頻度が高い項目を高い確率で最初に表示する処理装置を提供することを目的とする。
【課題を解決するための手段】
【０００６】
（１）上記目的を達成するための処理装置は、モード毎に異なる処理を実行する処理ユニットと、前記モードの選択を受け付けるモード選択ユニットと、前記処理ユニットの保守項目または前記処理の設定項目を１項目ずつ順に表示して前記項目の選択を受け付ける保守／設定メニューを呼び出す指示を受け付ける指示受付ユニットであって、前記モード選択ユニットでいずれかの前記モードが選択されている状態で前記指示を受け付ける指示受付ユニットと、前記指示受付ユニットで前記指示を受け付けると、前記保守／設定メニューを表示して前記項目の選択を受け付け、選択された前記項目に応じた保守を実行するか又は選択された前記項目の設定を受け付ける保守／設定ユニットであって、最後に選択された前記項目をそのとき選択されている前記モードに関連付けて記憶し、次回前記指示受付ユニットで前記指示を受け付けるとそのとき選択されている前記モードに関連付けられて記憶されている前記項目を前記保守／設定メニューで最初に表示する保守／設定ユニットと、を備える。
前回選択された項目を最初に表示するようにすると、選択される頻度が高い項目ほど最初に表示される回数が多くなる。従って、選択された項目をモードに関連付けて記憶しておき、次回の保守／設定メニューの表示の際にそのとき選択されているモードに関連付けて記憶している項目を最初に表示すると、いずれのモードにおいてもそのモードで選択される頻度が高い項目を、そのモードで選択される頻度が低い項目より高い確率で最初に表示できる。これにより、単に選択される頻度が高い項目を最初に表示する場合に比べ、ユーザが多くのボタン操作を要求される頻度をより低減できる。
【０００７】
（２）前記処理ユニットは、ディジタル画像を印刷媒体に印刷する印刷ユニットと、原稿を読み取ってディジタル画像を生成するスキャンユニットとを有し、前記モードは、前記印刷ユニットで印刷を行う印刷モード、前記スキャンユニットで原稿を読み取るスキャンモード、及び前記スキャンユニットで原稿を読み取ってディジタル画像を生成し、生成したディジタル画像を前記印刷ユニットで印刷するコピーモードであってもよい。
【０００８】
（３）前記保守項目のうち少なくとも１項目は前記印刷ユニットの色材の交換を行うための保守項目であり、前記保守／設定ユニットは、前記色材の交換を行うための前記保守項目が選択されてもモードに関連付けて記憶しなくてもよい。
色材は一度交換してしまえば暫くの間は交換する必要がないので、色材の交換を行うための保守項目は多くの場合において選択される頻度が相対的に低い。選択される頻度が相対的に低い項目は記憶しないようにすると、選択される頻度が高い項目をより高い確率で最初に表示できる。
【０００９】
尚、本発明に備わる複数のユニットの各機能は、構成自体で機能が特定されるハードウェア資源、プログラムにより機能が特定されるハードウェア資源、又はそれらの組み合わせにより実現される。また、これら複数のユニットの各機能は、各々が物理的に互いに独立したハードウェア資源で実現されるものに限定されない。
【発明を実施するための最良の形態】
【００１０】
以下、本発明の実施の形態を複数の実施例に基づいて説明する。
図２は、本発明の一実施例に係る処理装置としての複合機１０の外観を示す斜視図である。図３は、複合機１０のハードウェア構成を示すブロック図である。複合機１０は、原稿を読み取ってディジタル画像を生成し、生成したディジタル画像を印刷ユニット３０やリムーバブルメモリ１１、あるいは図示しないＰＣ（Personal Computer）に出力するスキャンユニット２０と、スキャンユニット２０やリムーバブルメモリ１１、あるいはＰＣから入力されるディジタル画像を印刷する印刷ユニット３０とを有している。スキャンユニット２０と印刷ユニット３０とは特許請求の範囲に記載の「処理ユニット」を構成している。
【００１１】
スキャンユニット２０は、主に上部ケース２１に収容され、照明部２２、イメージセンサ２３、ＡＦＥ（Analog Front End）部２４、センサ駆動部２５、センサキャリッジ駆動部２６などを備える。照明部２２は、主走査方向に長い蛍光管ランプ等で構成される。センサ駆動部２５に駆動されるイメージセンサ２３は、ＲＧＢの３チャネルの光電素子群を備えるカラーＣＣＤリニアイメージセンサ等のリニアイメージセンサである。イメージセンサ２３は、透明な原稿台２７と平行に移動する図示しないセンサキャリッジに搭載されている。イメージセンサ２３は、図示しないレンズ及びミラーにより受光面に結像される原稿の光学像の濃淡に相関する電気信号を出力する。センサキャリッジ駆動部２６は、図示しないモータ、駆動ベルト、駆動回路等を備える。センサキャリッジ駆動部２６は、主走査方向に垂直に架設された図示しないガイドロッドに沿ってセンサキャリッジを往復移動させる。イメージセンサ２３が主走査方向と垂直な方向に移動することにより二次元画像を読み取り可能となる。ＡＦＥ部２４は、増幅、ノイズ除去等のアナログ信号処理回路、Ａ／Ｄ変換器等を備える。
【００１２】
印刷ユニット３０は、主に下部ケース３１に収容され、インクジェット方式で印刷媒体としての印刷用紙（以下「用紙」という）に画像を形成するための印字ヘッド３２、ヘッドキャリッジ駆動部３３、送紙部３４、これらを制御する印刷ユニット制御部３５などを備える。尚、印刷ユニット３０はレーザ方式等の他の印刷方式に対応する構成でもよい。印字ヘッド３２は、インクカートリッジが搭載される図示しないヘッドキャリッジに設けられ、ノズル、ピエゾ素子、ピエゾ素子に印加する駆動信号を出力するピエゾ駆動回路等を備える。ピエゾ駆動回路は、印刷ユニット制御部３５から出力される制御信号に応じて所定の波形の駆動信号をピエゾ素子に印加する。ヘッドキャリッジ駆動部３３は、図示しないモータ、駆動ベルト、モータ駆動回路等を備える。ヘッドキャリッジ駆動部３３は、用紙の搬送方向と垂直に印字ヘッド３２を往復移動させる。送紙部３４は、図示しない用紙搬送ローラ、モータ、モータ駆動回路等を備える。送紙部３４は、用紙搬送ローラを回転させることにより用紙を印字ヘッド３２の移動方向軸線と垂直な方向に搬送する。印刷ユニット制御部３５は、ＲＡＭ６６から順次印字データが転送されるバッファメモリと、バッファメモリに格納された印字データを印字ヘッド３２に出力するタイミングをヘッドキャリッジの位置に応じて制御する機能と、ヘッドキャリッジ駆動部３３を制御する機能と、送紙部３４を制御する機能とを備えるＡＳＩＣである。
【００１３】
外部メモリコントローラ４１は、カードスロット４２から挿入されたリムーバブルメモリ１１に接続される。リムーバブルメモリ１１に格納されたデータは外部メモリコントローラ４１によって読み出され、ＲＡＭ６６に転送される。リムーバブルメモリ１１は電源が供給されなくても記憶内容が保持されるフラッシュメモリなどの不揮発性のメモリである。
【００１４】
保守／設定ユニットとしての表示部５７は、ＬＣＤ５７ａ、ＬＣＤ５７ａを制御する図示しないグラフィックコントローラなどを備える。表示部５７は制御部６５に制御され、ＬＣＤ５７ａにディジタル画像、保守／設定メニュー、その他各種のメニューなどを表示する。
モード選択ユニット、指示受付ユニットおよび保守／設定ユニットとしての操作部５０は、モードを選択するための複数のモード選択ボタン、保守／設定メニューを呼び出す指示を受け付けるセットアップボタン、保守／設定メニューを操作して項目を選択するための各種の押しボタンなどを備える。これら各種の押しボタンはその他のメニューの操作や印刷するディジタル画像の選択などにも用いられる。尚、操作部５０をタッチパネル、ポインティングデバイスなどで構成してもよい。
【００１５】
通信部６０は、制御部６５がＰＣ等の外部のシステムと通信するための通信インタフェースである。通信部６０は、ＬＡＮ、インターネット、ＵＳＢ等を通じて外部のシステムと通信する。
制御部６５は、ＲＡＭ６６、フラッシュメモリ６７及びＣＰＵ６８を備える。ＣＰＵ６８はフラッシュメモリ６７に格納されている制御プログラムを実行して複合機１０の各部を制御する。また、制御部６５はフラッシュメモリ６７に格納されている制御プログラムを実行することにより、処理ユニット、モード選択ユニット、指示受付ユニット、および保守／設定ユニットとして機能する。フラッシュメモリ６７は、制御プログラムや、モードと項目とを関連付けて記憶するためのテーブルなどを格納している不揮発性メモリである。ＲＡＭ６６は、スキャンユニット２０で生成されたディジタル画像などの各種のデータが一時的に格納される揮発性メモリである。制御プログラムは遠隔地のサーバからネットワークを経由してフラッシュメモリ６７に格納してもよいし、リムーバブルメモリ１１などのコンピュータ読み取り可能な記録媒体を経由してフラッシュメモリ６７に格納してもよい。
【００１６】
ディジタル画像処理部６９は、ＡＦＥ部２４から出力された画像データに対し、ガンマ補正、シェーディング補正、ＪＰＥＧ形式のエンコード等の画像処理を施してディジタル画像を生成する処理や、ＪＰＥＧ形式のディジタル画像のデコード、解像度変換、アンシャープ処理、階調補正、二値化、分版処理等の画像処理をＣＰＵ６８と協働して実行するＤＳＰ等の専用回路である。
【００１７】
次に、操作部５０の詳細について説明する。
図４は、操作部５０を拡大して示す模式図である。操作部５０は、３つのモード選択ボタン５０ａ、５０ｂおよび５０ｃ、セットアップボタン５０ｄ、右ボタン５０ｅ、左ボタン５０ｆ、上ボタン５０ｇ、下ボタン５０ｈ、用紙の種類を選択するための紙種ボタン５０ｋ、用紙のサイズを選択するためのサイズボタン５０ｍ、スタートボタン５０ｎ、電源ボタン５０ｗなどを備えている。
【００１８】
３つのモード選択ボタン５０ａ、５０ｂおよび５０ｃは、複合機１０のモードを選択するためのボタンである。複合機１０のモードは印刷モードとしての「メモリカード」モード、スキャンモードとしての「フィルム／写真」モード、およびコピーモードとしての「コピー」モードの３つに大きく分かれている。モード選択ボタン５０ａは「メモリカード」モード、モード選択ボタン５０ｂは「フィルム／写真」モード、モード選択ボタン５０ｃは「コピー」モードに対応している。上述したモードは同時に一つしか選択できず、例えば「メモリカード」モードが選択されている状態でモード選択ボタン５０ｂを押下すると「メモリカード」モードは解除され、「フィルム／写真」モードが選択される。
【００１９】
ここで上述した各モードの詳細について説明する。
「メモリカード」モードは、リムーバブルメモリ１１に記憶されているディジタル画像を印刷ユニット３０で印刷するモードである。「メモリカード」モードは複数のサブモードに細かく分類されている。具体的には、リムーバブルメモリ１１に記憶されている全てのディジタル画像を印刷する「全て印刷」サブモード、リムーバブルメモリ１１に記憶されているディジタル画像を選んで印刷する「選んで印刷」サブモード、ディジタル画像の縮小画像を印刷したオーダーシートで印刷するディジタル画像を選択し、スキャナユニット２０に読み取らせることによって印刷対象のディジタル画像を指定する「オーダーシート」サブモード、手書きの文字などをディジタル画像に合成して印刷する「手書き合成」サブモードなどに分かれている。ユーザはモード選択ボタン５０ａを繰り返し押下することによってこれらのサブモードを選択する。ＬＥＤ５０ｐ〜ＬＥＤ５０ｖは、それぞれ選択されているサブモードに対応して点灯する。例えばモード選択ボタン５０ａを１度押下すると「全て印刷」サブモードが選択され、「全て印刷」サブモードに対応するＬＥＤ５０ｐが点灯する。モード選択ボタン５０ａを再度押下すると「選んで印刷」サブモードが選択され、「全て印刷」サブモードに対応するＬＥＤ５０ｐが消灯し、「選んで印刷」サブモードに対応するＬＥＤ５０ｑが点灯する。他のサブモードについても同様である。
【００２０】
「フィルム／写真」モードは、スキャンユニット２０でフィルムや写真などの原稿を読み取るモードである。
「コピー」モードは、スキャンユニット２０で原稿を読み取ってディジタル画像を生成し、生成したディジタル画像を印刷ユニット３０で印刷するモードである。「コピー」モードは、用紙サイズに応じて自動で拡大または縮小して印刷する「自動拡大／縮小」サブモードと、等倍で印刷する「等倍」サブモードとに分類されている。
【００２１】
図４に示すセットアップボタン５０ｄは、いずれかのモードが選択されている状態で保守／設定メニューを呼び出すためのボタンである。保守／設定メニューは、スキャンユニット２０および印刷ユニット３０の保守項目の選択、並びに印刷ユニット３０の処理を設定するための設定項目の選択を受け付けるためのメニューである。なお、本実施例ではスキャンユニット２０に対する処理を設定するための設定項目を備えていないが、必要であればスキャンユニット２０に対する設定項目を備えてもよい。
【００２２】
図５は、保守／設定メニューの模式図である。本実施例の保守／設定メニューにはインク残量７１、ヘッドクリーニング７２、ノズルチェック７３、ギャップ調整７４、インクカートリッジ交換７５、自動画質補正７６、フチなしはみ出し量７７、普通紙コピー品質７８などの項目がある。
図４に示すようにＬＣＤ５７ａには同時に１項目のみが表示され、右ボタン５０ｅおよび左ボタン５０ｆにより表示する項目を切り替えることができる。図５において右は右ボタン５０ｅを意味し、左は左ボタン５０ｆを意味している。また、図５では各項目に一意に割り振られている識別番号を各項目の上又は下に示している。ユーザは目的の項目を表示した状態でスタートボタン５０ｎを押下することによって項目を選択する。以下、保守／設定メニューの各項目について具体的に説明する。
【００２３】
インク残量７１は、色材としてのインクの残量を確認するための項目である。インク残量７１を選択すると、インクの残量がＬＣＤ５７ａに表示される。
ヘッドクリーニング７２は、印字ヘッド３２をクリーニングするための保守項目である。ヘッドクリーニング７２を選択すると、印字ヘッド３２のクリーニング動作が実行される。
【００２４】
ノズルチェック７３は、インクを吐出するノズルの状態を確認するための保守項目である。ノズルチェック７３を選択すると、印字ヘッド３２のノズルをチェックするためのノズルチェックパターンが印刷される。ユーザは印刷されたノズルチェックパターンでノズルの状態を確認し、必要であればヘッドクリーニング７２を実行してクリーニングを行うことができる。
ギャップ調整７４は、印字ヘッド３２の往路と復路とで印字位置にズレ（ギャップ）がある場合にそのギャップを調整するための保守項目である。ギャップ調整７４を選択すると現状のギャップを確認するための特定のパターンが用紙に印刷されるとともに、調整量を入力するためのサブメニューが表示される。ユーザは印刷されたパターンから調整量を判断し、サブメニューで上ボタン５０ｇ、下ボタン５０ｈを操作して調整量を入力する。調整量が入力されると、印刷ユニット３０は次回以降の印刷において、設定された調整量に応じて印字位置を調整して印刷を行う。これによりギャップが調整される。
【００２５】
インクカートリッジ交換７５は、インクカートリッジを交換するときに選択する保守項目である。インクカートリッジ交換７５を選択すると、複合機１０はインクカートリッジの交換が可能な状態に遷移する。インクカートリッジ交換７５は色材の交換を行うための保守項目に相当する。
自動画質補正７６は、画質補正の処理を選択するための設定項目である。自動画質補正７６を選択すると、画質補正の処理を選択するためのサブメニューが表示される。ユーザは表示されたサブメニューで上ボタン５０ｇ、下ボタン５０ｈを操作して処理を選択する。処理を選択すると、印刷ユニット３０はディジタル画像に選択された画質補正処理を施して用紙に印刷する。
【００２６】
フチなしはみ出し量７７は、余白を調整するための項目である。フチなしはみ出し量７７を選択すると、余白を調整するためのサブメニューが表示される。ユーザは表示されたサブメニューで上ボタン５０ｇ、下ボタン５０ｈを操作して余白を設定する。余白を設定すると、印刷ユニット３０は用紙に設定された余白を残してディジタル画像を印刷する。
【００２７】
普通紙コピー品質７８は、普通紙に印刷する際の画質を選択するための項目である。普通紙コピー品質７８を選択すると、例えば印刷速度を優先するか又は画質を優先するかを選択するためのサブメニューが表示される。ユーザは表示されたサブメニューで上ボタン５０ｇ、下ボタン５０ｈを操作して優先する項目を選択する。普通紙コピー品質７８を設定すると、印刷ユニット３０はディジタル画像を設定された画質で用紙に印刷する。
【００２８】
保守／設定メニューを構成する項目は選択される頻度にばらつきがあり、必ずしも各項目が均等に選択されるわけではない。例えばあるユーザは自動画質補正７６を選択する頻度が他の項目に比べて相対的に高く、また、別のあるユーザはギャップ調整７４を選択する頻度が他の項目に比べて相対的に高いこともある。ただし、どの項目の頻度が高いかはユーザによっても異なるので、一概に特定することはできない。しかしながら、選択される頻度が低いと想定される項目はある。例えばインクカートリッジは一度交換してしまえば暫くの間は交換する必要がない。従ってインクカートリッジ交換７５は多くの場合において選択される頻度が相対的に低く、この項目が前回と次回との２度に亘って続けて選択される確率は低いといえる。
【００２９】
次に、モードと項目とを関連付けて記憶するテーブルについて説明する。
図６は、モードと項目とを関連付けて記憶するテーブルの一例を示す模式図である。複合機１０は、前回選択された項目の識別番号とモードとをフラッシュメモリ６７上に作成したテーブルの同一行に格納する。図示する例の場合、「メモリカード」モードには識別番号として２が関連付けられているので、「メモリカード」モードにはヘッドクリーニング７２が関連付けられて記憶されていることが判る。同様に「フィルム／写真」モードには自動画質補正７６が関連付けられて記憶されており、「コピー」モードには普通紙コピー品質７８が関連付けられて記憶されていることが判る。
【００３０】
次に、前回選択された項目を記憶し、次回セットアップボタン５０ｄが押下されて保守／設定メニューが呼び出されたとき前回選択された項目を最初に表示する処理について説明する。
図７は、複合機１０の処理の流れを示すフローチャートである。この処理はユーザがセットアップボタン５０ｄを押下すると開始される。
Ｓ１０５では、制御部６５は現在のモードを判定する。制御部６５は現在のモードが「メモリカード」モードの場合はＳ１１０に進み、「フィルム／写真」モードの場合はＳ１１５に進み、「コピー」モードの場合はＳ１２０に進む。
【００３１】
Ｓ１１０では、制御部６５は「メモリカード」モードに関連付けられている識別番号をフラッシュメモリ６７から取得し、取得した識別番号で特定される項目をＬＣＤ５７ａに表示する。
Ｓ１１５では、制御部６５は「フィルム／写真」モードに関連付けられている識別番号をフラッシュメモリ６７から取得し、取得した識別番号で特定される項目をＬＣＤ５７ａに表示する。
【００３２】
Ｓ１２０では、制御部６５は「コピー」モードに関連付けられている識別番号をフラッシュメモリ６７から取得し、取得した識別番号で特定される項目をＬＣＤ５７ａに表示する。
Ｓ１２５では、制御部６５は項目の選択を受け付ける。具体的には、ユーザは前述したように右ボタン５０ｅおよび左ボタン５０ｆを操作して目的の項目をＬＣＤ５７ａに表示させ、目的の項目を表示させた状態でスタートボタン５０ｎを押下することにより項目を選択する。
【００３３】
Ｓ１３０では、制御部６５はＳ１２５で選択された項目がインクカートリッジ交換７５であるか否かを判定する。制御部６５は、インクカートリッジ交換７５以外の場合はＳ１３５に進み、インクカートリッジ交換７５の場合はＳ１４０に進む。
Ｓ１３５では、制御部６５はＳ１０５で判定したモードに関連付けられてテーブルに格納されている識別番号を、Ｓ１２５で選択された項目の識別番号に更新する。
【００３４】
前述したようにインクカートリッジ交換７５が前回と次回との２度に亘って続けて選択される確率は低いといえる。このため、複合機１０はインクカートリッジ交換７５が選択されてもモードに関連付けて記憶しない。選択される頻度が低いと想定される項目については記憶しないようにすると、選択される頻度が高い項目をより高い確率で最初に表示できる。この場合、前々回選択された項目が前回選択された項目として記憶され続けることになる。なお、ここでは選択される頻度が低いと想定される項目としてインクカートリッジ交換７５を例に説明するが、どの項目の選択の頻度が低いと想定するかは適宜選択可能な設計事項である。
【００３５】
Ｓ１４０では、制御部６５は選択された項目に応じた処理を実行する。
Ｓ１４５では、ユーザは処理を終了する場合はセットアップボタン５０ｄ、モード選択ボタン５０ａ、５０ｂまたは５０ｃのいずれかを押下する。ユーザは他にも選択したい項目があればＳ１２５に戻って処理を繰り返す。制御部６５は、セットアップボタン５０ｄ、モード選択ボタン５０ａ、５０ｂまたは５０ｃが押下された場合は処理を終了する。
【００３６】
図１は、モードと項目とが図６に示すように関連付けられて記憶されている場合に保守／設定メニューに最初に表示される項目を示す模式図である。モードと項目とが図６に示すように関連付けられて記憶されている場合、「メモリカード」モードが選択されているときはセットアップボタン５０ｄを押下すると図１（Ａ）に示すようにヘッドクリーニング７２が最初に表示され、同様に「フィルム／写真」モードが選択されているときは図１（Ｂ）に示すように自動画質補正７６が最初に表示され、同様に「コピー」モードが選択されているときは図１（Ｃ）に示すように普通紙コピー品質７８が最初に表示される。
【００３７】
例えば「メモリカード」モードの場合、ヘッドクリーニング７２が前回選択されたからといって必ずしもヘッドクリーニング７２の選択頻度が高いとは限らない。選択される頻度が低い項目も頻度は低いとはいえ選択はされるからである。しかしながら、前回選択された項目を最初に表示するようにすると、選択される頻度が高い項目ほど保守／設定メニューに最初に表示される回数が多くなる。従って、選択される頻度が高い項目は、必ずしも常に最初に表示されないとしても、高い確率で最初に表示されることになる。仮にあるユーザにとって「メモリカード」モードで選択する頻度が高い項目がヘッドクリーニング７２であるとすると、ヘッドクリーニング７２が高い確率で最初に表示されるので、ユーザはヘッドクリーニング７２をＬＣＤ５７ａに表示させるための操作を高い確率で省略できる。
【００３８】
以上説明した本発明の一実施例に係る複合機１０によると、最後に選択された項目をそのとき選択されているモードに関連付けて記憶し、次回セットアップボタン５０ｄが押されるとそのとき選択されているモードに関連付けられて記憶されている項目を保守／設定メニューで最初に表示するので、いずれのモードにおいてもそのモードで選択される頻度が高い項目を、そのモードで選択される頻度が低い項目より高い確率で最初に表示できる。これにより、モードに関係なく単に選択される頻度が高い項目を最初に表示する場合に比べ、ユーザが多くのボタン操作を要求される頻度をより低減できる。
【図面の簡単な説明】
【００３９】
【図１】本発明の一実施例に係る保守／設定メニューの模式図。
【図２】本発明の一実施例に係る処理装置の外観を示す斜視図。
【図３】本発明の一実施例に係る処理装置のハードウェア構成を示すブロック図。
【図４】本発明の一実施例に係る保守／設定ユニットの模式図。
【図５】本発明の一実施例に係る保守／設定メニューの模式図。
【図６】本発明の一実施例に係るテーブルの模式図。
【図７】本発明の一実施例に係るフローチャート。
【符号の説明】
【００４０】
１０  複合機（処理装置）、２０  スキャンユニット（処理ユニット）、３０  印刷ユニット（処理ユニット）、５０  操作部（モード選択ユニット、指示受付ユニット、保守／設定ユニット）、５７  表示部（保守／設定ユニット）、６５  制御部（処理ユニット、モード選択ユニット、指示受付ユニット、保守／設定ユニット）、７１  インク残量（保守項目）、７２  ヘッドクリーニング（保守項目）、７３  ノズルチェック（保守項目）、７４  ギャップ調整（保守項目）、７５  インクカートリッジ交換（保守項目）、７６  自動画質補正（設定項目）、７７  フチなしはみ出し量（設定項目）、７８  普通紙コピー品質（設定項目）
【図１】
2007058395.tif 000003
【図２】
2007058395.tif 000004
【図３】
2007058395.tif 000005
【図４】
2007058395.tif 000006
【図５】
2007058395.tif 000007
【図６】
2007058395.tif 000008
【図７】
2007058395.tif 000009